(57)【要約】【課題】装置全体の小型化及び省電力化を図りつつ、ＩＣ接点が破壊されることを回避し得るＩＣ接点ユニット及びＩＣカード処理装置を提案する。【解決手段】ＩＣカードに対してデータを読み書きするＩＣ接点ユニットにおいて、第１の接点端子台と、第２の接点端子台と、弾性部材とを備え、第１の接点端子台は、ＩＣカードを係止する爪部と、第１の接点端子台が回転動作する際に回転軸となる第１のリンク部とを備え、第２の接点端子台は、ＩＣカードの端子に接触する接点ピンと、第１の接点端子台に回転可能に接続される第２のリンク部と、弾性部材が張架される張架部材とを備え、弾性部材は、張架部材を介して第２の接点端子台に引っ張り力を付勢することを特徴とする。
2015189923.tif 000002
【特許請求の範囲】
【請求項１】
ＩＣカードに対してデータを読み書きするＩＣ接点ユニットにおいて、
第１の接点端子台と、第２の接点端子台と、弾性部材とを備え、
前記第１の接点端子台は、
前記ＩＣカードを係止する爪部と、
前記第１の接点端子台が回転動作する際に回転軸となる第１のリンク部とを備え、
前記第２の接点端子台は、
前記ＩＣカードの端子に接触する接点ピンと、
前記第１の接点端子台に回転可能に接続される第２のリンク部と、
前記弾性部材が張架される張架部材とを備え、
前記弾性部材は、
前記張架部材を介して前記第２の接点端子台に引っ張り力を付勢する
ことを特徴とするＩＣ接点ユニット。
【請求項２】
前記第１の接点端子台は、
中央部に前記第２の接点端子台を設置する設置領域が形成されており、
両端部のうちの一方に前記爪部が形成されており、
他端部に前記第１のリンク部が形成されており、
前記ＩＣカードが搬送ラインに沿って搬送されてくると、前記第１のリンク部を回転軸として回転動作し、回転動作に伴って、前記爪部が前記搬送ラインよりも上方の位置から前記搬送ラインよりも下方の位置に移動する
ことを特徴とする請求項１に記載のＩＣ接点ユニット。
【請求項３】
前記第２の接点端子台は、
中央部に前記接点ピンが設置されており、
両端部のうちの一方に前記第２のリンク部が形成されており、
他端部に前記張架部材が形成されており、
前記ＩＣカードが搬送ラインに沿って搬送されてくると、前記第１の接点端子台の回転動作に伴って、前記張架部材に前記弾性部材が張架された状態のまま、前記第２のリンク部が前記爪部とともに移動する
ことを特徴とする請求項２に記載のＩＣ接点ユニット。
【請求項４】
前記弾性部材は、
前記第１の接点端子台が回転動作した後のＩＣカード係止時において、前記接点ピンが前記搬送ラインよりも一定の距離だけ上方に位置するように、前記第２の接点端子台に対して前記引っ張り力を付勢する
ことを特徴とする請求項３に記載のＩＣ接点ユニット。
【請求項５】
前記第１の接点端子台は、
前記搬送ラインに沿って搬送されてきたＩＣカードの端部を前記爪部により係止すると、前記ＩＣカードの搬送力を受けて、所定の距離だけ搬送方向に移動する
ことを特徴とする請求項４に記載のＩＣ接点ユニット。
【請求項６】
前記第２の接点端子台は、
前記第１の接点端子台が所定の距離だけ搬送方向に移動することに伴って、前記張架部材に前記弾性部材が張架された状態のまま、所定の距離だけ搬送方向に移動する
ことを特徴とする請求項５に記載のＩＣ接点ユニット。
【請求項７】
前記第２の接点端子台は、
案内軸が形成されており、
前記所定の距離だけ搬送方向に移動する際、前記案内軸がガイド溝に沿って案内されることにより、前記弾性部材により付勢されている前記引っ張り力に抗って、前記接点ピンを前記ＩＣカードの端子に押圧する
ことを特徴とする請求項６に記載のＩＣ接点ユニット。
【請求項８】
請求項１ないし請求項７の何れか一項に記載の前記ＩＣ接点ユニットを備えた
ことを特徴とするＩＣカード処理装置。
【請求項９】
請求項８に記載の前記ＩＣカード処理装置を備えた
ことを特徴とする自動取引装置。
【発明の詳細な説明】
【技術分野】
【０００１】
本発明は、ＩＣ接点ユニット及びＩＣカード処理装置に関し、特にＩＣカードの搬送力を利用して、ＩＣカード側の端子にＩＣ接点ユニット側の端子を押圧して接触させる構造を有するＩＣ接点ユニット及びＩＣカード処理装置に適用して好適なものである。
【背景技術】
【０００２】
一般に現金自動預金支払機等の自動取引装置においては、ＩＣ接点ユニットを備えたＩＣカード処理装置を内部に備えて構成される。ＩＣカード処理装置は、ＩＣカードを読み書き可能な位置まで搬送し、ＩＣ接点ユニットによりＩＣカードに記録されている取引データ等の可変データを読み書きする。可変データの読み書きの際には、ＩＣカード側の端子と、ＩＣ接点ユニット側の端子とを接触させる必要がある。接触箇所の構成については、例えば下記の特許文献１に開示されている。【０００３】
特許文献１には、ＩＣカードの搬送力を利用して、ＩＣカード側の端子にＩＣ接点ユニット側の端子を押圧して接触させるＩＣ接点ユニットが開示されている。具体的にはＩＣ接点ユニットは、ＩＣ接点及び爪部材を備える可動台と、可動台を案内するガイド部と、可動台の爪部材をＩＣカードの搬送面よりも後退した待機位置又はＩＣカードの搬送力を受ける突出位置に移動させるアクチュエータとを備え、ガイド部は、アクチュエータにより突出位置に移動させられた爪部材がＩＣカードの搬送力を受けて移動する際、爪部材の移動に伴い可動台をＩＣカードの搬送方向に対して水平方向に案内することを特徴としたＩＣ接点ユニットの構造が開示されている。【０００４】
この特許文献１によれば、ＩＣカードの搬送力を利用して、ＩＣカード側の端子とＩＣ接点ユニット側の端子とを接触させるようにしたので、アクチュエータは可動台の爪部材をＩＣカードの搬送力を受ける突出位置に移動させる程度の駆動力をもった小型のものでよく、装置全体の小型化及び消費電力の低減を図ることができるとしている。
【先行技術文献】
【特許文献】
【０００５】
【特許文献１】特許第３６８３４８９号公報
【発明の概要】
【発明が解決しようとする課題】
【０００６】
しかし、特許文献１に記載された構造では、爪部材がＩＣカードの搬送力を受ける突出位置の場合、可動台が備えるＩＣ接点と、ＩＣカードの搬送面との間の距離が極めて小さくなる。このとき、搬送されるＩＣカードに反り上がり、歪み又は割れ等の異常部分があると、異常部分がＩＣ接点に干渉し、ＩＣ接点を破壊するという問題がある。【０００７】
本発明は以上の点を考慮してなされたもので、従来同様に装置全体の小型化及び省電力化を図りつつ、ＩＣ接点が破壊されることを回避し得るＩＣ接点ユニット及びＩＣカード処理装置を提案するものである。
【課題を解決するための手段】
【０００８】
かかる課題を解決するために、本発明においては、ＩＣカードに対してデータを読み書きするＩＣ接点ユニットにおいて、第１の接点端子台と、第２の接点端子台と、弾性部材とを備え、第１の接点端子台は、ＩＣカードを係止する爪部と、第１の接点端子台が回転動作する際に回転軸となる第１のリンク部とを備え、第２の接点端子台は、ＩＣカードの端子に接触する接点ピンと、第１の接点端子台に回転可能に接続される第２のリンク部と、弾性部材が張架される張架部材とを備え、弾性部材は、張架部材を介して第２の接点端子台に引っ張り力を付勢することを特徴とする。【０００９】
またかかる課題を解決するために、本発明においては、ＩＣカードに対してデータを読み書きするＩＣ接点ユニットを備えたＩＣカード処理装置において、第１の接点端子台と、第２の接点端子台と、弾性部材とを備え、第１の接点端子台は、ＩＣカードを係止する爪部と、第１の接点端子台が回転動作する際に回転軸となる第１のリンク部とを備え、第２の接点端子台は、ＩＣカードの端子に接触する接点ピンと、第１の接点端子台に回転可能に接続される第２のリンク部と、弾性部材が張架される張架部材とを備え、弾性部材は、張架部材を介して第２の接点端子台に引っ張り力を付勢することを特徴とする。【００１０】
またかかる課題を解決するために、本発明においては、ＩＣカードに対してデータを読み書きするＩＣ接点ユニットを備えた自動取引装置において、第１の接点端子台と、第２の接点端子台と、弾性部材とを備え、第１の接点端子台は、ＩＣカードを係止する爪部と、第１の接点端子台が回転動作する際に回転軸となる第１のリンク部とを備え、第２の接点端子台は、ＩＣカードの端子に接触する接点ピンと、第１の接点端子台に回転可能に接続される第２のリンク部と、弾性部材が張架される張架部材とを備え、弾性部材は、張架部材を介して第２の接点端子台に引っ張り力を付勢することを特徴とする。
【発明の効果】
【００１１】
本発明によれば、装置全体の小型化及び省電力化を図りつつ、ＩＣ接点が破壊されることを回避することができる。
【図面の簡単な説明】
【００１２】
【図１】ＩＣカード処理装置の全体構成図である。
【図２】ＩＣカード待機時におけるＩＣ接点ユニットの全体構成図である。
【図３】ＩＣカード係止時におけるＩＣ接点ユニットの全体構成図である。
【図４】ＩＣカード搬送時におけるＩＣ接点ユニットの全体構成図である。
【図５】ＩＣカード読み取り時におけるＩＣ接点ユニットの全体構成図である。
【図６】ＩＣ接点ユニットの分解斜視図である。
【発明を実施するための形態】
【００１３】
以下図面について、本発明の一実施の形態を詳述する。
【００１４】
（１）ＩＣカード処理装置の構成
図１は、本実施の形態におけるＩＣカード処理装置１の全体構成を示す。ＩＣカード処理装置１は、ＩＣカードが挿入されると、内部に備えるＩＣ接点ユニット２０を動作させ、ＩＣカードに記録されている取引データ等の可変データを読み書きするように構成される。
【００１５】
ＩＣカード処理装置１は、搬送ローラ１０及びＩＣ接点ユニット２０を備えて構成される。一対の搬送ローラ１０は、カード搬送ラインＸに対して上下に対向配置され、カード搬送ラインＸに沿ってＩＣカードを搬送するように回転する。ここでは搬送ローラ１０は、ＩＣカードを右から左に向けて搬送するように回転する。
【００１６】
ＩＣ接点ユニット２０は、カード搬送ラインＸ方向の前後に配置された２組の搬送ローラ１０間に設置され、またカード搬送ラインＸに対して上方向に配置される。ＩＣ接点ユニット２０は、カード搬送ラインＸに沿って搬送されてきたＩＣカードに記録されている可変データを読み書きする。
【００１７】
読み書きに際してＩＣ接点ユニット２０は、ＩＣカードの搬送力を利用して、ＩＣカード側の端子にＩＣ接点ユニット２０側の端子（接点ピン）を押圧して接触させる。以下図２〜図６を参照して、ＩＣ接点ユニット２０の詳細な構成について説明する。
【００１８】
（２）ＩＣカード待機時におけるＩＣ接点ユニットの構成
図２は、ＩＣカード待機時におけるＩＣ接点ユニット２０の全体構成を示す。ＩＣ接点ユニット２０は、アクチュエータ２１、プランジャ２２、Ｌ字アーム２３、第１の接点端子台２４、第２の接点端子台２５、弾性部材２６及び張架部材３１等を備えて構成される。
【００１９】
アクチュエータ２１は、ＩＣカードがカード搬送ラインＸに沿って搬送されてくると、所定のタイミングでプランジャ２２を吸引する。所定のタイミングとは、例えば後述の爪部２４１がＩＣカードの端部を係止可能とするタイミングである。
【００２０】
プランジャ２２は、アクチュエータ２１に吸引可能に接続されている一方で、Ｌ字アーム２３に接続して構成される。プランジャ２２は、アクチュエータ２１により吸引されると、吸引動作をＬ字アーム２３に伝達する。
【００２１】
Ｌ字アーム２３は、プランジャ２２からの吸引動作が伝達されると、プランジャ２２との接続箇所である一端がプランジャ２２の吸引方向に移動する。これに伴いＬ字アーム２３は、Ｌ字アーム２３を固定する固定軸を中心として時計回りに回転し、他端が第１の接点端子台２４を押下する。
【００２２】
第１の接点端子台２４は、Ｌ字アーム２３により押下される前は、第１のリンク部Ｌ１、第２のリンク部Ｌ２及び回転動作制限部（図示省略）により、カード搬送ラインＸ方向に対して所定の角度θ１を維持した状態で回転可能に固定されている。これに対し、第１の接点端子台２４は、Ｌ字アーム２３により押下されると、第１のリンク部Ｌ１を回転軸として反時計回りに回転する。
【００２３】
第１の接点端子台２４の中央部には、第２の接点端子台２５の設置領域が形成されており、端部には爪部２４１が形成されている。第１の接点端子台２４が第１のリンク部Ｌ１を回転軸として反時計回りに回転すると、爪部２４１がカード搬送ラインＸよりも下方に移動する。第１の接点端子台２４は、爪部２４１が下方に移動する際、第２のリンク部Ｌ２を介して、回転動作を第２の接点端子台２５に伝達する。
【００２４】
第２の接点端子台２５は、ＩＣカードに記録されている可変データを実際に読み書きする接点ピン２５１を中央部に備えて構成されており、端部が第２のリンク部Ｌ２を介して第１の接点端子台２４に接続される。また他端には張架部材２５２が形成されており、この張架部材２５２には弾性部材２６が張架される。
【００２５】
第２の接点端子台２５は、第２のリンク部Ｌ２を介して第１の接点端子台２４からの回転動作が伝達されると、張架部材２５２に弾性部材２６が張架された状態のまま、第１の接点端子台２４とともに反時計回りに回転する。
【００２６】
弾性部材２６は、ＩＣカード待機時においてカード搬送ラインＸ方向と略平行かつＩＣカードの搬送方向とは逆方向に付勢力が働くように設置され、第２の接点端子台２５の端部である張架部材２５２と、他の張架部材３１との間に張架される。弾性部材２６は、張架部材２５２を介して第２の接点端子台２５を右方向に引っ張る力を付勢する。なお弾性部材２６は、例えばスプリングコイルである。
【００２７】
（３）ＩＣカード係止時におけるＩＣ接点ユニットの構成
図３は、ＩＣカード係止時におけるＩＣ接点ユニット２０の全体構成を示す。ＩＣ接点ユニット２０は、ＩＣカードがカード搬送ラインＸに沿って搬送されてくると、所定のタイミングでプランジャ２２を吸引する。プランジャ２２の吸引動作に伴い、Ｌ字アーム２３が時計回りに回転して第１の接点端子台２４の爪部２４１側の端部を押下する。その結果、爪部２４１がカード搬送ラインＸの下方に移動する。
【００２８】
爪部２４１がカード搬送ラインＸの下方に移動した状態において、第１の接点端子台２４は、カード搬送ラインＸに対して略水平の状態を維持する。すなわちＩＣカード係止時における第１の接点端子台２４は、カード搬送ラインＸ方向に対する角度θ１を０に維持した状態となる。この状態においてＩＣカードがカード搬送ラインＸに沿って搬送されてくると、第１の接点端子台２４は、ＩＣカードの端部を爪部２４１により係止する。
【００２９】
第１の接点端子台２４が反時計回りに回転することに伴って第２の接点端子台２５も同方向に回転することになるが、第２の接点端子台２５は、第１の接点端子台２４と異なり、張架部材２５２を介して弾性部材２６により右方向に引っ張られた状態のまま回転する。回転後の第２の接点端子台２５には、右方向及び上方向の力が付勢された状態となる。
【００３０】
その結果、ＩＣカード係止時における第２の接点端子台２５は、カード搬送ラインＸ方向に対して所定の角度θ２を維持した状態で固定されることになる。よってＩＣカード係止時における接点ピン２５１と、カード搬送ラインＸとの間の距離（退避量）を一定の距離だけ離した状態とすることができる。
【００３１】
カード搬送ラインＸからの接点ピン２５１の退避量を大きくすることで、ＩＣカードに反り上がり、歪み又は割れ等の異常部分がある場合であっても、ＩＣカード搬送時に異常部分が接点ピン２５１に干渉して接点ピン２５１を破壊することを防止することができる。
【００３２】
（４）ＩＣカード搬送時におけるＩＣ接点ユニットの構成
図４は、ＩＣカード搬送時におけるＩＣ接点ユニット２０の全体構成を示す。ＩＣ接点ユニット２０は、爪部２４１によりＩＣカードを係止すると、ＩＣカードの搬送力を受ける。その結果、第１の接点端子台２４が左方向に移動する。またこの移動動作を第２のリンク部Ｌ２を介して第２の接点端子台２５に伝達する。
【００３３】
第２の接点端子台２５は、第１の接点端子台２４からの移動動作が伝達されると、張架部材２５２に弾性部材２６が張架された状態のまま、左方向に移動する。このとき第２の接点端子台２５に形成されている案内軸２５３がガイド溝３２に当接し、その後第２の接点端子台２５が更に左方向に移動すると、案内軸２５３がガイド溝３２に沿って左下方向に案内される。
【００３４】
案内軸２５３がガイド溝３２に沿って左下方向に案内されると、第２の接点端子台２５は、弾性部材２６により付勢されている上方向の力に抗って、張架部材２５２側の端部が下方に押し込まれる。その結果、接点ピン２５１がＩＣカードに押圧されて接触する。接点ピン２５１は、このときはじめてＩＣカードに接触することになる。
【００３５】
（５）ＩＣカード読み取り時におけるＩＣ接点ユニットの構成
図５は、ＩＣカード読み取り時におけるＩＣ接点ユニット２０の全体構成を示す。ＩＣ接点ユニット２０の第１の接点端子台２４は、ＩＣカードの搬送力を受けると、所定の位置まで左方向に移動する。また第１の接点端子台２４の移動に伴い、第２の接点端子台２５も接点ピン２５１をＩＣカードに押圧して接触させた状態のまま、所定の位置まで左方向に移動する。
【００３６】
ＩＣ接点ユニット２０には、第１の接点端子台２４の左方向の移動を制限するガイド溝が形成されており（図示省略）、このガイド溝の制限を受けて、第１の接点端子台２４は所定の位置まで左方向に移動した後、停止する。第２の接点端子台２５は、第２のリンク部Ｌ２により第１の接点端子台２４に接続されていることから、第１の接点端子台２４の停止に伴って停止する。
【００３７】
この後、接点ピン２５１を介してＩＣカードに記録されている可変データの読み書きが行われることになる。
【００３８】
（６）ＩＣ接点ユニットの斜視構成
図６は、ＩＣ接点ユニット２０の分解斜視図である。ここでは図示されている部材を左から順に説明する。
【００３９】
まず弾性部材２６は、例えばスプリングコイル等のバネであり、一端が張架部材２５２に接続され、他端が張架部材３１に接続される。これにより弾性部材２６は、第２の接点端子台２５に対して常時、張架部材２５２を張架部材３１側に引っ張る力を付勢する。
【００４０】
第２の接点端子台２５は、弾性部材２６に接続される張架部材２５２の他、接点ピン２５１を備え、また第２のリンク部Ｌ２が形成される。接点ピン２５１は、ＩＣカード待機時及び当接時にはＩＣカードに接触せず（図１〜図３）、ＩＣカード搬送時にはじめてＩＣカードに接触する（図４）。また所定の位置に移動した後にＩＣカードの可変データを読み書きする（図５）。第２のリンク部Ｌ２は、第１の接点端子台２４に形成されている凸部に回転可能に接続される。
【００４１】
第１の接点端子台２４は、第２のリンク部Ｌ２に接続される凸部が形成されている他、第１のリンク部Ｌ１が形成される。第１のリンク部Ｌ１は、ブラケット３０に形成されているガイド溝３３に移動可能に接続される。移動方向は、カード搬送ラインＸ方向である。
【００４２】
Ｌ字アーム２３は、プランジャ２２とブラケット３０に形成されている回転軸３４とに接続されることにより、プランジャ２２の吸引動作に伴い、回転軸３４を軸にして回転する。Ｌ字アーム２３は、プランジャ２２が吸引されると時計方向に回転し、第１の接点端子台２４を押下する。押下された第１の接点端子台２４は、爪部２４１により搬送されてくるＩＣカードを係止することになる。
【００４３】
ブラケット３０は、上記の説明における張架部材３１及びガイド溝３３が形成されている他、ガイド溝３２が形成される。ガイド溝３２は、第１の接点端子台２４がＩＣカードとともにカード搬送ラインＸ方向に移動する際、第２の接点端子台２５の動作を制限する。具体的にはカード搬送ラインＸ方向に移動させつつ張架部材２５２側の端部を下方に押し込んで接点ピン２５１をＩＣカードに押圧するように移動させる。
【００４４】
（７）本実施の形態による効果
以上のように本実施の形態におけるＩＣカード処理装置１及びＩＣ接点ユニット２０によれば、アクチュエータ２１は爪部２４１をカード搬送ラインＸの下方に移動させる程度の駆動力をもった小型のものでよく、装置全体の小型化及び消費電力の低減を図ることができる。また接点ピン２５１を備える第２の接点端子台２５の一端を第１の接点端子台２４に接続し、他端を弾性部材２６により引っ張るようにしたので、ＩＣカード待機時及び係止時における接点ピン２５１の退避量を大きくすることができる。よって装置全体の小型化及び省電力化を図りつつ、接点ピン２５１が破壊されることを回避することができる。
【符号の説明】
【００４５】
１      ＩＣカード処理装置
２０    ＩＣ接点ユニット
２１    アクチュエータ
２２    プランジャ
２３    Ｌ字アーム
２４    第１の接点端子台
２４１  爪部
２５    第２の接点端子台
２５１  接点ピン
２５２  張架部材
２５３  案内軸
２６    弾性部材
３０    ブラケット
３１    張架部材
３２    ガイド溝
Ｌ１    第１のリンク部
Ｌ２    第２のリンク部
【図１】
2015189923.tif 000003
【図２】
2015189923.tif 000004
【図３】
2015189923.tif 000005
【図４】
2015189923.tif 000006
【図５】
2015189923.tif 000007
【図６】
2015189923.tif 000008
【手続補正書】
【提出日】平成26年11月26日(2014.11.26)
【手続補正１】
【補正対象書類名】特許請求の範囲
【補正対象項目名】全文
【補正方法】変更
【補正の内容】
【特許請求の範囲】
【請求項１】
ＩＣカードに対してデータを読み書きするＩＣ接点ユニットにおいて、
第１の接点端子台と、第２の接点端子台と、弾性部材とを備え、
前記第１の接点端子台は、
前記ＩＣカードを係止する爪部と、
前記第１の接点端子台が回転動作する際に回転軸となり、回転後はガイド溝に沿って前記ＩＣカードの搬送方向に移動する第１のリンク部とを備え、
前記第２の接点端子台は、
前記ＩＣカードの端子に接触する接点ピンと、
前記第１の接点端子台に回転可能に接続される第２のリンク部と、
前記弾性部材が張架される張架部材とを備え、
前記弾性部材は、
前記張架部材を介して前記第２の接点端子台に引っ張り力を付勢する
ことを特徴とするＩＣ接点ユニット。
【請求項２】
前記第１の接点端子台は、
中央部に前記第２の接点端子台を設置する設置領域が形成されており、
両端部のうちの一方に前記爪部が形成されており、
他端部に前記第１のリンク部が形成されており、
前記ＩＣカードが搬送ラインに沿って搬送されてくると、前記第１のリンク部を回転軸として回転動作し、回転動作に伴って、前記爪部が前記搬送ラインよりも上方の位置から前記搬送ラインよりも下方の位置に移動する
ことを特徴とする請求項１に記載のＩＣ接点ユニット。
【請求項３】
前記第２の接点端子台は、
中央部に前記接点ピンが設置されており、
両端部のうちの一方に前記第２のリンク部が形成されており、
他端部に前記張架部材が形成されており、
前記ＩＣカードが搬送ラインに沿って搬送されてくると、前記第１の接点端子台の回転動作に伴って、前記張架部材に前記弾性部材が張架された状態のまま、前記第２のリンク部が前記爪部とともに移動する
ことを特徴とする請求項２に記載のＩＣ接点ユニット。
【請求項４】
前記弾性部材は、
前記第１の接点端子台が回転動作した後のＩＣカード係止時において、前記接点ピンが前記搬送ラインよりも一定の距離だけ上方に位置するように、前記第２の接点端子台に対して前記引っ張り力を付勢する
ことを特徴とする請求項３に記載のＩＣ接点ユニット。
【請求項５】
前記第１の接点端子台は、
前記搬送ラインに沿って搬送されてきたＩＣカードの端部を前記爪部により係止すると、前記ＩＣカードの搬送力を受けて、所定の距離だけ搬送方向に移動する
ことを特徴とする請求項４に記載のＩＣ接点ユニット。
【請求項６】
前記第２の接点端子台は、
前記第１の接点端子台が所定の距離だけ搬送方向に移動することに伴って、前記張架部材に前記弾性部材が張架された状態のまま、所定の距離だけ搬送方向に移動する
ことを特徴とする請求項５に記載のＩＣ接点ユニット。
【請求項７】
前記第２の接点端子台は、
案内軸が形成されており、
前記所定の距離だけ搬送方向に移動する際、前記案内軸がガイド溝に沿って案内されることにより、前記弾性部材により付勢されている前記引っ張り力に抗って、前記接点ピンを前記ＩＣカードの端子に押圧する
ことを特徴とする請求項６に記載のＩＣ接点ユニット。
【請求項８】
請求項１ないし請求項７の何れか一項に記載の前記ＩＣ接点ユニットを備えた
ことを特徴とするＩＣカード処理装置。
【請求項９】
請求項８に記載の前記ＩＣカード処理装置を備えた
ことを特徴とする自動取引装置。
【国際調査報告】
2015189923.tif 000009
2015189923.tif 000010
2015189923.tif 000011
2015189923.tif 000012